(57)【要約】【課題】  例えば集合住宅などの建築物における戸境壁等の間仕切壁に係り、施工が簡単で強度が強く且つ容易・安価に施工できるようにする。【解決手段】  建築物の天井側のスラブ１に取付けた天井ランナー３と、それと対向して床側のスラブ２に取付けた床ランナー４との間に、ＡＬＣパネル等のパネル材５を平面千鳥状に配置して、それらの外側面にボード材６を張り付けるようにした間仕切壁において、  上記各パネル材５のボード材６を張り付ける面と反対側の面に縦長の鋼製スタッド７を配置すると共に、その鋼製スタッド７の下端部を支持部材８を介して上記床ランナー４と略同等もしくはそれよりも高い位置に保持させ、その鋼製スタッド７のパネル材５と反対側の面と、上記千鳥状に配置したパネル材５の外側の面とに沿って上記ボード材６を張り付け固定したことを特徴とする。【選択図】図１
2006299507.tif 000002
【特許請求の範囲】
【請求項１】
建築物の天井側のスラブに取付けた天井ランナーと、それと対向して床側のスラブに取付けた床ランナーとの間に、ＡＬＣパネル等のパネル材を平面千鳥状に配置して、それらの外側面にボード材を張り付けるようにした間仕切壁において、
上記各パネル材のボード材を張り付ける面と反対側の面に縦長の鋼製スタッドを配置すると共に、その鋼製スタッドの下端部を支持部材を介して上記床ランナーと略同等もしくはそれよりも高い位置に保持させ、その鋼製スタッドのパネル材と反対側の面と、上記千鳥状に配置したパネル材の外側の面とに沿って上記ボード材を張り付け固定したことを特徴とする間仕切壁。
【請求項２】
前記天井ランナーは断面コ字形に形成され、その天井ランナー内に前記各パネル材と鋼材スタッドとの上端部を係合保持させる構成とし、前記床ランナーは断面Ｌ字形に形成したものを２本略平行に且つ起立片が互いに内側になるように所定の間隔をおいて取付け、前記千鳥状に配置したパネル材の各列の内側の下端部を前記各床ランナーの起立片に当接させて位置決め固定するようにした請求項１に記載の間仕切壁。
【請求項３】
前記支持部材は、金属板を断面略コ字形に屈曲形成して構成してなる請求項１または２に記載の間仕切壁。
【請求項４】
前記支持部材には、前記鋼製スタッドの下端部を前記床ランナーの起立片と同等もしくはそれよりも高い位置に位置決め保持するストッパを設けてなる請求項１〜３のいずれかに記載の間仕切壁。
【請求項５】
前記支持部材には、前記床ランナーの起立片に係合するスリット状の切り込み溝を設けてなる請求項１〜４のいずれかに記載の間仕切壁。
【発明の詳細な説明】
【技術分野】
【０００１】
本発明は例えば集合住宅などの建築物における戸境壁等として使用される間仕切壁に関する。
【背景技術】
【０００２】
従来、上記のような間仕切壁として下記特許文献１のようにＡＬＣパネル等のパネル材を平面千鳥状に配置したものは知られている。図５はその一例を示すもので、建築物の天井側のスラブ１に取付けた天井ランナー３と、それに対向して床側のスラブ２に取付けた床ランナー４との間に、ＡＬＣパネル等のパネル材５を平面千鳥状に配置した構成である。
【０００３】
上記の天井ランナー３は断面コ字形に形成され、そのコ字形の天井ランナー３内に上記各パネル材５の上端部が係合保持されている。一方、床ランナー４は断面Ｌ字形に形成され、上記の千鳥状に配置したパネル材５の一方の列の下端部外面を上記Ｌ字形床ランナー４の起立片４１に当接させ、他方の列のパネル材５の下端部は図のような固定金物１０を用いてボルト１１等で床側のスラブ２に取付けている。
【０００４】
そして上記のように千鳥状に配置した各列のパネル材５の外面側にそれぞれ珪酸カルシウム板や石膏ボード等のボード材６を張り付けるものである。なお上記ボード材６とパネル材５との間の空間には、グラスウールやロックウール等の繊維質材料よりなる充填材が充填されているが図には省略した。
【０００５】
ところが、上記従来の間仕切壁は、平面千鳥状に配置したパネル材５の外側に、そのままボード材６を張り付けた構成であるから、隣り合うパネル材５・５間のボード材６は広い範囲でパネル材５から浮いた状態にあり、その間に例え前記のような繊維質材料を介在させてもボード材６の強度を充分に確保できない不具合がある。そのため、従来はボード材６を図５に示すように内外二重に張っているが、その各ボード材の張り付け作業が面倒であると共に、その両ボード材間には接着材等を介在させなければならないので、材料コストや施工コストが増大する等の問題がある。
【０００６】
【特許文献１】特開平０８−１０５１３３号公報
【発明の開示】
【発明が解決しようとする課題】
【０００７】
本発明は上記従来の問題点に鑑みて提案したもので、施工が簡単で強度が強く且つ容易・安価に施工することのできる間仕切壁を提供することを目的とする。
【課題を解決するための手段】
【０００８】
上記の目的を達成するために本発明による間仕切壁は、以下の構成としたものである。すなわち、建築物の天井側のスラブに取付けた天井ランナーと、それと対向して床側のスラブに取付けた床ランナーとの間に、ＡＬＣパネル等のパネル材を平面千鳥状に配置して、それらの外面側にボード材を張り付けるようにした間仕切壁において、上記各パネル材の内面側に縦長の鋼製スタッドを配置すると共に、その鋼製スタッドの下端部を支持部材を介して上記床ランナーと略同等もしくはそれよりも高い位置に保持させ、その鋼製スタッドのパネル材と反対側の面と、上記千鳥状に配置したパネル材の外側の面とに沿って上記ボード材を張り付け固定したことを特徴とする。
【発明の効果】
【０００９】
上記のように平面千鳥状に配置したパネル材の内面側に鋼製スタッドを配置し、その鋼製スタッドのパネル材と反対側の面と、上記千鳥状に配置したパネル材の外側の面とに上記ボード材を張り付けるようにしたことによって、前記従来のパネル材のみにボード材を張り付ける場合に比べてボード材の取付強度を大幅に増大させることができる。その場合、上記鋼製スタッドの下端部を支持部材を介して上記床ランナーと略同等もしくはそれよりも高い位置に保持させることによって、上記床ランナーの配置位置等に拘わらず上記鋼製スタッドを所望の位置に配置することが可能となる。
【００１０】
また上記のようにボード材の取付強度を大幅に増大させることができるので、例えば上記ボード材が単枚（１枚のみの）仕上げ張りであっても、充分な強度が得られ、例えば火災時の熱によるボード材の浮きや剥がれを防止して耐火性能を確保するとともに、取付け強度不足によるボード材の音波や振動に対する共振を防止して遮音性能を確保することができる。さらに、上記のようにボード材の単枚仕上げ張りが可能となるので、従来技術と比較してボード材の使用量は半分となり、経済性がよく、施工時間も短縮可能となる。
【発明を実施するための最良の形態】
【００１１】
以下、図に示す実施形態に基づいて本発明を具体的に説明する。図１は本発明による間仕切壁の一実施形態を示す施工途中の斜視図、図２はその縦断面図、図３（ａ）は施工途中の横断平面図、同図（ｂ）は施工完了後の横断平面図であり、前記図５の従来例と同一の機能を有する部材には同一の符号を付して説明する。
【００１２】
本実施形態の天井ランナー３は、図１および図２に示すように前記従来例と同様に断面コ字形に形成され、天井側のスラブ１の下面に、図に省略したアンカー等で取付けられている。一方、床ランナー４は、前記従来例と同様に断面Ｌ字形に形成したものを２本（一対）用いるようにしたもので、その両床ランナー４は、図１および図２に示すように略平行に且つ起立片４１が互いに内側になるように所定の間隔をおいて図に省略したアンカー等で取付けられている。
【００１３】
上記天井ランナー３と床ランナー４との間には、前記従来例と同様にＡＬＣパネル等のパネル材５が平面千鳥状に配置され、その各パネル材５の上端部は上記コ字形天井ランナー３内に係合保持されている。一方、上記千鳥状に配置した各列のパネル材５は、それぞれ上記一対の床ランナー４・４上に分別して載置され、上記各列の内側（対向面側）のパネル材５の下端部を上記各床ランナー４の起立片４１に当接させることによって、上記各パネル材５を所定の位置に位置決め固定すると共に、上記各列のパネル材５の間隔を一定に保つ構成である。
【００１４】
上記各パネル材５の内面側（後述するボード材６を張り付ける側と反対側）には、縦長の鋼製スタッド７を配置したもので、図の場合は断面略Ｃ字形の鋼製スタッド７を用いたが、その断面形状は適宜であり、例えば角管状その他各種形状のものを用いることができる。
【００１５】
上記の鋼製スタッド７は、その下端部７ａを支持部材８を介して上記床ランナー４と略同等もしくはそれよりも高い位置に保持させるようにしたもので、その支持部材８は本実施形態においては図４に示すように金属板等で断面下向きコ字形に形成され、そのコ字形の支持部材８の上部に鋼製スタッド７の下端部７ａを嵌合すると共に、その支持部材８にそれと一体的に設けた一対の折曲部よりなるストッパ８ａ・８ａの上面に鋼製スタッド７の下端部７ａを載置することによって、上記鋼製スタッド７の下端部７ａを床ランナー４と略同等もしくはそれよりも高い位置に保持させる構成である。
【００１６】
また上記コ字形の支持部材８の対向片には、図４に示すように床ランナー４の起立片４１に係合するスリット状の切り込み溝８ｂが設けられ、その切り込み溝８ｂを図２に示すように床ランナー４の起立片４１に係合することによって、上記支持部材８は床ランナー４の長手方向には移動可能であるが、それと直角方向には移動不能に保持される。
【００１７】
上記の構成において、天井ランナー３と床ランナー４との間にパネル材５を建て込むに当たっては、複数のパネル材５を図３（ａ）のように平面千鳥状に配置して各パネル材５の上部を断面コ字形の天井ランナー３内に挿入し、また上記の千鳥状に配置した各列のパネル材５はそれぞれの列に対応した床ランナー４上に載置すると共に、各列のパネル材５の内側の面を断面Ｌ字形の床ランナー４の起立片４１に当接させる。
【００１８】
次いで、上記各列のパネル材５の内面側にそれぞれ鋼製スタッド７を建て込むもので、その際、各鋼製スタッド７の下端部には予め上記支持部材８を嵌合した状態で、各鋼製スタッド７の上端部を上記天井ランナー３内に挿入した後、支持部材８の切り込み溝８ｂを床ランナー４の起立片４１に係合させると共に、上記支持部材８を床ランナー４上に載置すればよい。なお上記の切り込み溝８ｂを起立片４１に係合させる際には、上記鋼製スタッド７の下端部を上記支持部材８と共に床ランナー４の長手方向に傾斜させれば容易に係合させることができる。
【００１９】
また上記支持部材８は、必要に応じてボルト等の固着具で床ランナー４等に固定すればよく、例えば支持部材８の下端部に形成した外向きの折曲部８ｃ・８ｃに不図示のボルト等を挿通して床ランナー４にねじ込むようにすれば容易に固定することができる。また上記支持部材８と鋼製スタッド７、および鋼製スタッド７とパネル材５もそれぞれ必要に応じてボルト等の固着具で固定するようにしてもよい。
【００２０】
次に、上記のようにして各パネル材５の内側に建て込んだ鋼製スタッド７の上記パネル材５と反対側の面と、上記千鳥状に配置したパネル材５の外側の面とに沿って図１および図３（ｂ）に示すようにボード材６を張り付け固定すればよく、その固定手段としては例えば図に省略したネジや接着材等で固定する等その他適宜である。なお上記パネル材５とボード材６との間の空間内には、図３（ｂ）に示すように必要に応じて繊維質材料等よりなる断熱材や遮音材等の充填材９を充填する。
【００２１】
以上のようにして平面千鳥状に配置した各パネル材５の内面側に鋼製スタッド７を配置し、その鋼製スタッド７のパネル材５と反対側の面と、上記千鳥状に配置したパネル材５の外側の面とに上記ボード材６を張り付けるようにしたことによって、前記従来のパネル材５のみにボード材６を張り付ける場合に比べてボード材６の取付強度を大幅に増大させることができる。その場合、上記鋼製スタッド７の下端部を支持部材８を介して上記床ランナー４と略同等もしくはそれよりも高い位置に保持させることによって、上記床ランナー４の配置位置等に拘わらず上記鋼製スタッド７を所望の位置に配置することが可能となる。
【００２２】
また上記のようにボード材６の取付強度を大幅に増大させることができるので、例えば図示例のようにボード材６が単枚（１枚のみの）仕上げ張りであっても、充分な強度が得られ、例えば火災時の熱によるボード材６の浮きや剥がれを防止して耐火性能を確保できるとともに、取付け強度不足によるボード材６の音波や振動に対する共振を防止して遮音性能を確保することができる。さらに、上記のようにボード材６の単枚仕上げ張りが可能となるので、従来技術と比較してボード材６の使用量は半分となり、経済性がよく、施工時間も短縮可能となる。
【００２３】
なお上記鋼製スタッド７の配置は、上記実施形態のように各パネル材５の幅方向（図３で左右方向）の略中央部が好ましいが、多少ずれてもよい。また必要に応じて上記鋼製スタッド７を各パネル材５の幅方向に複数本配置するようにしてもよい。
【００２４】
また上記実施形態のように床側のスラブ２に配置される断面Ｌ字形の床ランナー４を、各起立片４１が互いに内側になるようにして略平行に且つ所定の間隔をおいて一対設け、前記の千鳥状に配置した各列のパネル材５を、それぞれ上記一対の床ランナー４・４上に分けて載置すると共に、上記各列の内側（対向側）のパネル材５の下端部を上記各床ランナー４の起立片４１に当接させると、上記各パネル材５を所定の位置に簡単確実に位置決め固定することができる。また上記一対の床ランナー４・４によって、千鳥状に配置した各列のパネル材５の間隔が一定に保たれ、間仕切り壁の厚さを容易に均一化することができる。
【００２５】
さらに、上記両床ランナー４・４の間隔を適宜調整すれば、上記パネル材５とボード材６との間の空間や該空間内に充填される繊維質材料等の充填材９の厚さ寸法、ひいては間仕切り壁全体の厚さ寸法を容易に変更することができる。例えば上記の空間や断熱材９の厚さ寸法を増大させれば、耐火遮音性能を向上させることができ、逆に上記の空間や断熱材９の厚さ寸法を小さくして壁体全体の厚みを薄くすれば室内空間等が増大して建築物の内部空間の有効利用を図ることが可能となるものである。
【産業上の利用可能性】
【００２６】
以上詳細に説明したように、本発明による間仕切壁は、ボード材６がパネル材５と鋼製スタッド７とに支持固定されることで、ボード材６の強度が増し、例えばボード材６が単枚仕上げ張りであっても、充分な強度を得ることが可能となる。また火災発生時の熱によるボード材６の浮き上がりや剥がれを防止して耐火性能を確保するとともに、取付け強度不足によるボード材６の音波や振動に対する共振を防止して遮音性能を確保することができる等の利点があり、例えば集合住宅の戸境壁やその他の間仕切壁として有効かつ適切である。
【図面の簡単な説明】
【００２７】
【図１】本発明による間仕切壁の一実施形態を示す斜視図。
【図２】上記間仕切壁の縦断面図。
【図３】（ａ）は上記間仕切壁の施工途中の横断平面図、（ｂ）は施工終了後の横断平面図。
【図４】鋼製スタッド支持部材の斜視図。
【図５】従来の間仕切壁の施工例を示す斜視図。
【符号の説明】
【００２８】
１  天井側スラブ
２  床側スラブ
３  天井ランナー
４  床ランナー
５  パネル材
６  ボード材
７  鋼製スタッド
８  支持部材
９  充填材
【図１】
2006299507.tif 000003
【図２】
2006299507.tif 000004
【図３】
2006299507.tif 000005
【図４】
2006299507.tif 000006
【図５】
2006299507.tif 000007